(57)【要約】【課題】プラグのフェルール先端がＬＣ形光コネクタの嵌合部手前で誤って斜め上方向側から挿入されても、コア部を含むフェルール先端の損傷を未然に防止できるようにする。【解決手段】シャッタ板１１には、嵌合部Ａ手前から斜め上方向側から挿入したフェルール２４先端部を非接触状態で受け入れるための逃げ部３０を設ける。逃げ部３０は、シャッタ板１１の前面側から内側に向けて角形、台形、円弧形、椀形の窪み状、または開口状に形成して成るものとし、またシャッタ板１１は、逃げ部３０によってフェルール２４先端部を非接触状態で受け入れると同時に、フェルール２４周囲を覆うよう具備したカップリングスリーブ２１の先端開口縁部によってシャッタ板１１を押し退け開放させるものとする。【選択図】図６
2015059941.tif 000002
【特許請求の範囲】
【請求項１】
コネクタハウジングの両端に、光学軸が一致するようにＬＣ形光コネクタプラグの嵌合部をそれぞれ備え、コネクタハウジング内部には、両端の嵌合部から挿入されるＬＣ形光コネクタプラグのフェルール先端部を各装着保持するスリーブホルダーが配されて成り、前記コネクタハウジングの少なくとも一方の嵌合部内に、斜め配置で当該嵌合部を閉鎖するシャッタ板と、このシャッタ板を閉鎖方向へ付勢する板バネとを配設し、前記コネクタハウジングの嵌合部からＬＣ形光コネクタプラグを挿入し、前記シャッタ板を板バネの押圧力に抗して開放させつつ前記フェルール先端部をスリーブホルダーに嵌合させるように構成したＬＣ形光コネクタ相互接続用アダプタであって、前記シャッタ板には、嵌合部手前から斜め上方向側から挿入されるフェルール先端部を非接触状態で受け入れるための逃げ部を設けたことを特徴とするＬＣ形光コネクタの防塵シャッタ内蔵アダプタ。
【請求項２】
逃げ部は、前記シャッタ板の前面側から内側に向けて角形、台形、円弧形、椀形の窪み状、または開口状に形成されて成ることを特徴とする請求項１記載のＬＣ形光コネクタの防塵シャッタ内蔵アダプタ。
【請求項３】
シャッタ板は、前記逃げ部によってフェルール先端部を非接触状態で受け入れると同時に、ＬＣ形光コネクタプラグのフェルール周囲を覆うよう具備されたカップリングスリーブの先端開口縁部によって当該シャッタ板が押し退け開放されるものとしたことを特徴とする請求項１または２記載のＬＣ形光コネクタの防塵シャッタ内蔵アダプタ。
【発明の詳細な説明】
【技術分野】
【０００１】
本発明は、一対の対向するＬＣ形光コネクタプラグを相互接続するＬＣ形光コネクタの防塵シャッタ内蔵アダプタに関する。
【背景技術】
【０００２】
従来、本件出願の先願である特許文献１に示すように、コネクタハウジングの光コネクタの嵌合部に斜め配置で当該嵌合部を閉鎖するよう、下端に支軸を一体的に有し、該支軸両端に設けられた突部をコネクタハウジングの光コネクタの嵌合部下部に回動可能に支承させてなるシャッタ板と、このシャッタ板を閉鎖方向へ付勢する板バネとを配設し、コネクタハウジングの嵌合部に光コネクタを嵌合させることによってシャッタ板を板バネの押圧力に抗して開放させるように構成した光コネクタ用アダプタが本件出願人によって提案されている。
【０００３】
また、本件出願の先願である特許文献２および特許文献３に示すように一対の対向するＬＣ形光コネクタプラグを相互接続することを目的とし、双方向からのＬＣ形光コネクタプラグを受け入れ可能となる両端開口の一体構造によるハウジングを備えることで、製造上における作業性の向上と低コスト化を図ると共に、ＬＣ形光コネクタプラグの保持能力の低下を防止することができるＬＣ形光コネクタ相互接続用アダプタが本件出願人によって提案されている。
【０００４】
ところで、従来のＬＣ形光コネクタ用アダプタは、ハウジングの両端における嵌合端に嵌入されるそれぞれのＬＣ形光コネクタプラグの光学軸を、互いに一致させる構造とされている。このとき、一方の嵌合端にＬＣ形光コネクタプラグを嵌入していない状態では、他方の嵌合端に接続されているＬＣ形光コネクタプラグに関連する光学部品が動作状態にあると、一方の嵌合端まで例えば５ｍＷ程度以上の有害なレーザビームが導かれ、当該一方の嵌合端へＬＣ形光コネクタプラグを嵌入する作業の際に、作業者の身体、特に目に重大な危害を与える虞がある。しかも、この嵌合端から内部に、異物や塵埃等が侵入し、これによって接続不良等を生じることが懸念されるという問題もあった。
【０００５】
そこで、本件出願人は、各種の凹凸形状を有するＬＣ形光コネクタプラグを嵌入する作業の際に、作業者の身体、特に目に重大な危害を与えてしまうのを未然に防止でき、また嵌合端内側への異物の侵入およびこれによる接続不良等を確実に無くすことができるよう、上記した特許文献１に示す構成よるシャッタ板を、特許文献２および特許文献３に示すコネクタハウジングに備えたＬＣ形光コネクタ相互接続用アダプタを提案している。
【０００６】
すなわち、このＬＣ形光コネクタ相互接続用アダプタは、図１３に示すように、コネクタハウジング１０１の両端に、光学軸が一致するようにＬＣ形光コネクタプラグＰ１、Ｐ２の嵌合部Ａ、Ｂをそれぞれ備え、コネクタハウジング１０１内部には、両端の嵌合部Ａ、Ｂから挿入されるＬＣ形光コネクタプラグＰ１、Ｐ２先端部のフェルール１２４を各装着保持するスリーブホルダー１０５が配されて成り、前記コネクタハウジング１０１の少なくとも一方の嵌合部Ａ内に、斜め配置で当該嵌合部Ａを閉鎖するシャッタ板１１１と、このシャッタ板１１１を閉鎖方向へ付勢する板バネ１１８とを配設し、前記コネクタハウジング１の嵌合部ＡからＬＣ形光コネクタプラグＰ１を挿入し、前記スリーブホルダー１０５に嵌合させることによって、前記シャッタ板１１１を板バネ１１８の押圧力に抗して開放させるように構成されている。
【先行技術文献】
【特許文献】
【０００７】
【特許文献１】特開２００８−２２５１３３号公報
【特許文献２】特開２００８−２６７７８号公報
【特許文献３】特許第４７６８５３９号公報
【発明の概要】
【発明が解決しようとする課題】
【０００８】
上記したように図１３に示すＬＣ形光コネクタ相互接続用アダプタの場合、嵌合部Ａにおいてシャッタ板１１１自体が斜め配置されていることから、ＬＣ形光コネクタプラグＰ１のフェルール１２４先端が嵌合部Ａ手前から内方に向けて確実に水平方向に沿って挿入されれば、フェルール１２４先端の角部がシャッタ板１１１の前面を押し退けるようにして当該シャッタ板１１１が開放されるので、フェルール１２４先端のコア部をシャッタ板１１１によって損傷させる虞はないものとなっている。
【０００９】
しかしながら、従来においてはシャッタ板１１１自体がフラットな平面形状であることから、ＬＣ形光コネクタプラグＰ１のフェルール１２４先端が嵌合部Ａ手前で誤って斜め方向に挿入されてしまうとコア部を含むフェルール１２４先端がシャッタ板１１１の前面に接触し、フェルール１２４先端およびコア部自体を損傷させてしまう虞があった。
【００１０】
そこで、本発明は、叙上のような従来存した諸事情に鑑み案出されたもので、ＬＣ形光コネクタプラグのフェルール先端がコネクタハウジングの嵌合部手前で誤って斜め方向に挿入されても、フェルール先端がシャッタ板の前面に接触されずに当該シャッタ板を容易に開放させることができ、これによってコア部を含むフェルール先端の損傷を未然に防止できるようにしたＬＣ形光コネクタの防塵シャッタ内蔵アダプタを提供することを目的とする。
【課題を解決するための手段】
【００１１】
上述した課題を解決するために、本発明にあっては、コネクタハウジングの両端に、光学軸が一致するようにＬＣ形光コネクタプラグの嵌合部をそれぞれ備え、コネクタハウジング内部には、両端の嵌合部から挿入されるＬＣ形光コネクタプラグのフェルール先端部を各装着保持するスリーブホルダーが配されて成り、前記コネクタハウジングの少なくとも一方の嵌合部内に、斜め配置で当該嵌合部を閉鎖するシャッタ板と、このシャッタ板を閉鎖方向へ付勢する板バネとを配設し、前記コネクタハウジングの嵌合部からＬＣ形光コネクタプラグを挿入し、前記シャッタ板を板バネの押圧力に抗して開放させつつ前記フェルール先端部をスリーブホルダーに嵌合させるように構成したＬＣ形光コネクタ相互接続用アダプタであって、前記シャッタ板には、嵌合部手前から斜め上方向側から挿入されるフェルール先端部を非接触状態で受け入れるための逃げ部を設けたことを特徴とする。
【００１２】
逃げ部は、前記シャッタ板の前面側から内側に向けて角形、台形、円弧形、椀形の窪み状、または開口状に形成されて成ることを特徴とする。
【００１３】
シャッタ板は、前記逃げ部によってフェルール先端部を非接触状態で受け入れると同時に、ＬＣ形光コネクタプラグのフェルール周囲を覆うよう具備されたカップリングスリーブの先端開口縁部によって当該シャッタ板が押し退け開放されるものとしたことを特徴とする。
【発明の効果】
【００１４】
本発明によれば、ＬＣ形光コネクタプラグのフェルール先端がコネクタハウジングの嵌合部手前で誤って斜め上方向側から挿入されても、フェルール先端がシャッタ板の前面に接触されずに当該シャッタ板を容易に開放させることができ、これによってコア部を含むフェルール先端の損傷を未然に防止することができる。
【００１５】
特に、シャッタ板には、嵌合部手前から斜め上方向側から挿入されるフェルール先端部を非接触状態で受け入れるための逃げ部を設けたので、フェルール先端をシャッタ板の前面に接触させずに当該シャッタ板を容易に開放させることができる。
【００１６】
逃げ部は、前記シャッタ板の前面側から内側に向けて角形、台形、円弧形、椀形の窪み状、または開口状に形成されて成るので、嵌合部手前で斜め上方向側から挿入されるフェルール先端部を確実に非接触状態となって受け入れることができる。
【００１７】
シャッタ板は、前記逃げ部によってフェルール先端部を非接触状態で受け入れると同時に、ＬＣ形光コネクタプラグのフェルール周囲を覆うよう具備されたカップリングスリーブの先端開口縁部によって当該シャッタ板が押し退け開放されるものとしたので、コア部を含むフェルール先端の損傷を未然に防止しつつ、カップリングスリーブの先端開口縁部のみによってシャッタ板を容易に開放させることができる。
【図面の簡単な説明】
【００１８】
【図１】本発明を実施するための最良の形態におけるシャッタ付きのＬＣ形光コネクタ相互接続用アダプタを示す分解斜視図である。
【図２】同じくシャッタ付きのＬＣ形光コネクタ相互接続用アダプタを示し、（ａ）は正面図、（ｂ）は平面図、（ｃ）は側面図、（ｄ）は底面図、（ｅ）は背面図である。
【図３】図２（ｂ）のＡ−Ａ拡大断面図である。
【図４】図２（ｂ）のＡ−Ａ拡大断面を正面側から視た状態の斜視図である。
【図５】図２（ｂ）のＡ−Ａ拡大断面を背面側から視た状態の斜視図である。
【図６】シャッタ付きのＬＣ形光コネクタ相互接続用アダプタへの光コネクタの斜め上方向側からの挿入前の状態の中央縦断面図である。
【図７】同じくシャッタ付きのＬＣ形光コネクタ相互接続用アダプタへのＬＣ形光コネクタプラグの挿入途中の過程を説明するもので、挿入によりシャッタ板が押されて傾倒している状態の中央縦断面図である。
【図８】同じくシャッタ付きのＬＣ形光コネクタ相互接続用アダプタへのＬＣ形光コネクタプラグの挿入後の状態の中央縦断面図である。
【図９】ＬＣ形光コネクタ相互接続用アダプタの両方向からＬＣ形光コネクタプラグを差し込んだ状態の縦断面図である。
【図１０】シャッタ構造の一例を示すもので、（ａ）は正面図、（ｂ）は側面図、（ｃ）は背面図、（ｄ）は下面図、（ｅ）は上面図、（ｆ）は（ａ）のＢ−Ｂ断面図である。
【図１１】シャッタ構造の変形例を示すもので、（ａ）は正面図、（ｂ）は側面図、（ｃ）は背面図、（ｄ）は下面図、（ｅ）は上面図、（ｆ）は（ａ）のＣ−Ｃ断面図である。
【図１２】シャッタ構造の他の変形例を示すもので、（ａ）は正面図、（ｂ）は側面図、（ｃ）は背面図、（ｄ）は下面図、（ｅ）は上面図、（ｆ）は（ａ）のＤ−Ｄ断面図である。
【図１３】従来例におけるシャッタ付きのＬＣ形光コネクタ相互接続用アダプタを示す中央縦断面図である。
【発明を実施するための形態】
【００１９】
以下、図面を参照して本発明を実施するための最良の一形態を詳細に説明する。
【００２０】
本実施形態においては、図１乃至図５に示すように、一対の対向するＬＣ形光コネクタプラグＰ１、Ｐ２（図９参照）を相互接続するための２心用のＬＣ形光コネクタ相互接続用アダプタを構成するコネクタハウジング１を備えている。
【００２１】
このコネクタハウジング１は、上側壁１ａと左右の側壁１ｂとが正面視略コ字枠状となって一体に形成されるとともに、さらに底壁１ｃが上側壁１ａに対向して左右の側壁１ｂ間に取り付けられることで全体として、一対の対向するＬＣ形光コネクタプラグＰ１、Ｐ２を両端から相互に挿入可能とする嵌合部Ａ、Ｂを両端に備えた矩形状の筒体となって形成される。また、後述する底壁１ｃをコネクタハウジング１の底部開放側に取り付けて左右の側壁１ｂに固定するための角筒状のホルダー８がコネクタハウジング１に装着される。
【００２２】
さらに、コネクタハウジング１の左右の側壁１ｂそれぞれには、略コ字状の金属枠片よって形成されたパネル固定用の複数の係止バネを備えた固定金具９ａ、９ｂがコネクタハウジング１側に設けられた係止突起１０ａと固定金具９ａ、９ｂ側に設けられた係止孔１０ｂとの係合によって装着固定される。
【００２３】
コネクタハウジング１内部の上側壁１ａ中央には、図３乃至図５に示すように、嵌合凹部６ａが下端中央に形成された仕切突起６ｂが垂設されており、嵌合凹部６ａにはスリーブホルダー５を構成する一対の接合端壁部材３ａ、３ｂの各上端部が互いに合致した状態で嵌入されている。このコネクタハウジング１の中央部に配される一方の接合端壁部材３ａには、一方の円筒５ａが一方の嵌合部Ａに向かって突設してあると共に、他方の接合端壁部材３ｂには、他方の円筒５ｂが他方の嵌合部Ｂに向かって突設してある。
【００２４】
そして、両円筒５ａ、５ｂが光学軸上で中心軸を一致するよう接合端壁部材３ａ、３ｂそれぞれの角部に互い違いに形成されている嵌合爪４ａおよび係合部４ｂそれぞれを係合固定することによってスリーブホルダー５が形成される（図１参照）。このとき、接合端壁部材３ａ、３ｂを介して両円筒５ａ、５ｂが後端面を当接した状態においてそれぞれ反対向きに突出配置され、これにより、隣接する両円筒５ａ、５ｂ内に、一個の割りスリーブ６が内挿された状態となって配置される。
【００２５】
さらに、図３乃至図５に示すように、コネクタハウジング１内部の左右の側壁１ｂ上側には、長手方向に沿って、ＬＣ形光コネクタプラグＰ１、Ｐ２を挿入ガイドするための下側にガイド突条７ａを備えた内向きコ字形状の凹溝部７ｂが水平方向に形成されている。これらガイド突条７ａおよび凹溝部７ｂは、ＬＣ形光コネクタプラグＰ１、Ｐ２の凹凸外形状に対応している。また、一方の嵌合部Ａにおける上側壁１ａ中央には、ＬＣ形光コネクタプラグＰ１、Ｐ２挿入時のガイドのために、光軸方向に沿って直線溝条となったキー溝１２が形成されている。
【００２６】
なお、図１乃至図９に示すように、既述した実施形態で採用されているコネクタハウジング１の一方の嵌合部Ａの上端には、弧状の切欠き部１ｄを形成してある。また、他方の嵌合部ＢにはＬＣ形光コネクタプラグＰ２を挿入する代わりに他の光学部品、例えばＳＣ型光コネクタプラグやその他のプラグ等を挿入しても良い。
【００２７】
コネクタハウジング１の一方の嵌合部Ａには、斜め配置で当該嵌合部Ａを閉鎖するためのシャッタ板１１が内側で開閉可能となるように配置されている。すなわち、このシャッタ板１１は、その下端水平位置に支軸１５を一体突設し、該支軸１５両端の対称位置に設けられた突部１５ａを、嵌合部Ａの嵌合端下部の左右対向位置における底壁１ｃ、左右の側壁１ｂそれぞれに跨って形成された軸孔１６に回動可能に支承させてある。
【００２８】
そして、これらシャッタ板１１下端と支軸１５とが連設されている略中央には矩形状の開口部１７が形成され、該開口部１７を介して、略Ｌ字形状に折曲して形成された金属製の板バネ１８を支軸１５中央に外嵌合させるとともに、この板バネ１８の一端を底壁１ｃ内面に形成されている矩形状の凹部１１ａ（シャッタ板１１の全面に対応する大きさと厚みを有している）に圧接させ、板バネ１８の他端をシャッタ板１１の内側面に圧接させることで当該シャッタ板１１を閉鎖方向に付勢している。
【００２９】
また、図３乃至図５に示すように、シャッター板１１を開閉揺動可能となるよう左右の側壁１ｂそれぞれには、軸孔１６を所謂扇の要とする扇型の窪み部１１ｂが形成してある。このとき、該窪み部１１ｂは、前記ガイド突条７ａ、凹溝部７ｂの一部を切欠形成してある。さらに、コネクタハウジング１の嵌合部Ａの左右の側壁１ｂそれぞれの内壁面において、前記窪み部１１ｂの上端縁（シャッター板１１の閉鎖移動端）には、上記ガイド突条７ａ、凹溝部７ｂにわたって段差状の突当面１１ｃが形成され、前記シャッター板１１の閉鎖方向揺動時において当該シャッター板１１の可動部側面を係止させるものとなっている。
【００３０】
而して、前記シャッタ板１１には、ＬＣ形光コネクタプラグＰ１がコネクタハウジング１の嵌合部Ａ手前において斜め上方向側から挿入される際に、後述するフェルール２４（図６、図７参照）先端部がシャッタ板１１前面に接触しないよう窪み状の逃げ部３０が形成されている。すなわち、この逃げ部３０は、フェルール２４先端側を非接触状態で受け入れるためにシャッタ板１１の開口部１７上側に前面側から内側に向けて略台形状に窪ませた状態（シャッタ板１１の後面では略台形状に突出する）となって形成されている。
【００３１】
具体的には、この逃げ部３０は、図３乃至図１０に示すように、シャッタ板１１の前面から左右で垂直に落ち込む左右両壁面３０ａ、３０ｂと、開口部１７上側においてシャッタ板１１の前面から急峻な傾斜となって落ち込む下方側傾斜面３０ｃと、下方側傾斜面３０ｃに対向するようシャッタ板１１の前面から緩やかな傾斜となって落ち込む上方側傾斜面３０ｄと、左右両壁面３０ａ、３０ｂ、下方側傾斜面３０ｃ、上方側傾斜面３０ｄそれぞれによって囲まれる矩形の底面３０ｅとによる全体略台形状の窪みとなって形成されている。
【００３２】
このとき、逃げ部３０の上方側傾斜面３０ｄは、ＬＣ形光コネクタプラグＰ１がコネクタハウジング１の嵌合部Ａ手前から斜め上方向から挿入される際のフェルール２４先端部に対する逃げスロープを形成している。また、逃げ部３０の下方側傾斜面３０ｃは、ＬＣ形光コネクタプラグＰ１がコネクタハウジング１の嵌合部Ａ手前から水平方向に沿って挿入される際のフェルール２４先端部に対する逃げスロープを形成している。
【００３３】
而して、前記シャッタ板１１の逃げ部３０は、フェルール２４先端部を非接触状態で受け入れると同時に、ＬＣ形光コネクタプラグＰ１のフェルール２４周囲を覆うよう備えられた円筒状のカップリングスリーブ２１の先端開口縁部によってシャッタ板１１が押し退けられて開放されるものとしてある。このとき、コネクタハウジング１には、ＬＣ形光コネクタプラグＰ１挿入時におけるガイドのためのキー溝１２に加えてＬＣ形光コネクタプラグＰ１を挿入ガイドするための下側にガイド突条７ａを備えた内向きコ字形状の凹溝部７ｂが水平方向に形成されていることから、挿入過程に伴ってＬＣ形光コネクタプラグＰ１自体が自然に水平状態を維持する。
【００３４】
また、シャッタ板１１の全面に対応する大きさと厚みを有して底壁１ｃ内面に形成された矩形状の凹部１１ａには、シャッタ板１１の後面から突出した逃げ部３０の後壁面を受け入れるための断面略台形状の開口部１１ｄが形成されている。この開口部１１ｄは、コネクタハウジング１の底壁１ｃ下面に装着された角筒状のホルダー８によって閉塞される。さらに、上記した板バネ１８は、シャッタ板１１の後面に支持される他端が逃げ部３０の後壁面を避けるように内側に向けて略円弧状に湾曲させてあり、底壁１ｃ内面の凹部１１ａに支持される一端が当該凹部１１ａに形成されている開口部１１ｄ内に係合されるよう略くの字状に屈曲させてある(図１、図８参照）。
【００３５】
なお、前記逃げ部３０は、角形、円弧形、椀形の窪み状、または開口状に形成されていても良い。以下に、このような逃げ部３０の各変形例について説明する。
【００３６】
図１１には逃げ部３０が椀形の窪み状となって形成されている場合の変形例を示している。すなわち、この形状の逃げ部３０は、シャッタ板１１の正面から見て円形（図１１（ａ）参照）、断面では円弧形となって形成されている。この場合、板バネ１８の他端は逃げ部３０の後側面に圧接させることでシャッタ板１１を閉鎖方向に付勢している。また、底壁１ｃ内面に形成された矩形状の凹部１１ａには、シャッタ板１１の後面から突出した逃げ部３０の後壁面を受け入れるための断面略円弧状の開口部１１ｄが形成される。このような変形例においても、上記した本実施形態と同様な作用効果を有している。
【００３７】
図１２には逃げ部３０が開口状に形成されている場合の変形例を示している。すなわち、この形態の逃げ部３０は、シャッタ板１１の正面から見て長円形（図１２（ａ）参照）の開口となって形成されている。この場合、板バネ１８の他端は逃げ部３０の後側開口端を閉塞するように密着させることでシャッタ板１１を閉鎖方向に付勢している。このような変形例においても、上記した本実施形態と同様な作用効果を有している。
【００３８】
ＬＣ形光コネクタプラグＰ１（Ｐ２）は、図９に示すように、比較的高強度なプラスチックから成るカップリングスリーブ２１と、このカップリングスリーブ２１内にフェルール用チューブ２２およびフェルールフレーム２３に装着されたフェルール２４と、フェルールフレーム２３の後端部外周に装着されるスプリング２５と、このスプリング２５を介してフェルールフレーム２３の後端部に嵌合するプラスチック製の本体フレーム２６と、該本体フレーム２６後部に装着されたブーツ２７とを具備する。
【００３９】
また、図６乃至図９に示すように、カップリングスリーブ２１の外周面には、コネクタハウジング１の両端に設けられた嵌合部Ａ、Ｂ内の上側に配設された内向きコ字形状の凹溝部７ｂに係合しつつ挿入される左右一対の係合突起２８ａを有し且つ、キー溝１２との係合およびその解除を行うための解除レバー２８が当該カップリングスリーブ２１に一体的に設けられている。この解除レバー２８は、カップリングスリーブ２１の先端部から後端部に向かって徐々に当該カップリングスリーブ２１外表面から離れるように傾斜して延設されており、その後端部は、本体フレーム２６の外周面に形成されたラッチレバー２９に当接するようカップリングスリーブ２１とは反対側に傾斜状に突出している。
【００４０】
こうしてコネクタハウジング１の一方の開口側（例えば嵌合部Ａ）から装着されるＬＣ形光コネクタプラグＰ１のフェルール２４がスリーブホルダー５の一方側に嵌合すると共に、これと光接続されるＬＣ形光コネクタプラグＰ２のフェルール２４がスリーブホルダー５の他方側に嵌合することで、両円筒５ａ、５ｂ相互に跨って内装された割りスリーブ６を介して、この両フェルール２４先端を当接しつつ軸方向に整列されたものとなる（図９参照）。
【００４１】
なお、上記した２心のコネクタハウジング１によるＬＣ形光コネクタ相互接続用アダプタを構成する替わりに、４心用のコネクタハウジング１によるＬＣ形光コネクタ相互接続用アダプタを構成しても良い。
【００４２】
次に、以上のように構成された最良の形態についての組立、使用、動作の一例について説明する。
【００４３】
ＬＣ形光コネクタ用アダプタの組立に際し、図１および図３に示すように、スリーブホルダー５を形成する両円筒５ａ、５ｂ間内に、割りスリーブ６を装着した状態で、両円筒５ａ、５ｂを光学軸上で中心軸を一致させて接合端壁部材３ａ、３ｂ同士を嵌合爪４ａおよび係合部４ｂを介して係合固定する。そして、このスリーブホルダー５をコネクタハウジング１の上側壁１ａ中央の仕切突起６ｂの嵌合凹部６ａに組み込む。
【００４４】
これと同時に、シャッタ板１１の開口部１７を介して、板バネ１８を支軸１５中央に外嵌合させてから、当該シャッタ板１１の支軸１５両端の突部１５ａを底壁１ｃの軸孔１６に載せ、底壁１ｃ上に、正面視略コ字状の上側壁１ａの左右に配設された一対の側壁１ｂをそれぞれ組み込む。
【００４５】
そして、角筒状のホルダー８をコネクタハウジング１に装着して、底壁１ｃを、左右の側壁１ｂに固定する。これと同時にパネル固定用の固定金具９ａ、９ｂをコネクタハウジング１の左右の側壁１ｂにそれぞれ装着する。
【００４６】
このとき、図３に示すように、板バネ１８の一端が底壁１ｃの凹部１１ａに形成されている開口部１１ｄを介して、当該開口部１１ｄを閉塞しているホルダー８に圧接され、他端がシャッタ板１１の逃げ部３０後壁面に圧接されることで、当該シャッタ板１１を、一方の嵌合部Ａにおける嵌合端を閉鎖する方向に略傾斜状態で付勢する。なお、シャッタ板１１の開放時では、開口部１１ｄにおいて板バネ１８の一端が逃げ部３０の後壁面とホルダー８とによって挟持される。
【００４７】
次に、ＬＣ形光コネクタ用アダプタの使用に際し、先ず、コネクタハウジング１の一方の嵌合部ＡにＬＣ形光コネクタプラグＰ１を嵌合させる前では、シャッタ板１１は、略Ｌ字型の板バネ１８の拡開方向への弾発力により、一方の嵌合部Ａにおける嵌合端を閉鎖している。このとき、シャッタ板１１の可動部側面は、段差状の突当面１１ｃによって係止されている。
【００４８】
図６に示すように、シャッタ板１１に対してＬＣ形光コネクタプラグＰ１がコネクタハウジング１の嵌合部Ａ手前から誤って斜め上方向側から挿入されると、逃げ部３０はフェルール２４先端部をシャッタ板１１前面に接触させずに、フェルール２４周囲を覆う円筒状のカップリングスリーブ２１の先端開口縁部によって、閉鎖中のシャッタ板１１が押され、板バネ１８の弾発力に抗して嵌合端内側に当該シャッタ板１１が傾倒する。このとき、シャッタ板１１の可動部側面は左右の扇型の窪み部１１ｂ内に係合しつつシャッタ板１１自体を開方向（下側）に揺動する。
【００４９】
図７に示すように、ＬＣ形光コネクタプラグＰ１をコネクタハウジング１の嵌合部Ａ内へ更に押し込むと、上記したコネクタハウジング１の嵌合部Ａのキー溝１２に加えて、下側にガイド突条７ａを備えた内向きコ字形状の凹溝部７ｂの存在により、挿入過程に伴ってＬＣ形光コネクタプラグＰ１自体が自然に水平状態となって挿入される。そして、ＬＣ形光コネクタプラグＰ１が嵌合部Ａ内へ完全に押し込まれ、フェルール２４がスリーブホルダー５の一方側に嵌合した際には、板バネ１８の弾発力によって、シャッタ板１１と、コネクタハウジング１の上側壁１ａとの間でＬＣ形光コネクタプラグＰ１がしっかりと挟持された状態となって接続作業が完了する。このとき、板バネ１８の一端は、開口部１１ｄにおいて逃げ部３０の後壁面とホルダー８内面とによって挟持された状態となる。
【００５０】
以上、説明したように、本実施形態においては、特に、シャッタ板１１には、フェルール２４先端部を非接触状態で受け入れるための逃げ部３０を設けたので、ＬＣ形光コネクタプラグＰ１のフェルール２４先端がコネクタハウジング１の嵌合部Ａ手前で斜め上方向側から挿入されても、フェルール２４先端がシャッタ板１１の前面に接触されずに当該シャッタ板１１を容易に開放させることができ、これによってコア部を含むフェルール２４先端の損傷を防止することができる。
【００５１】
要するに、本願発明は、図１３に示すような従来の逃げ部３０のない平板状のシャッタ板１１であっても、ＬＣ形光コネクタプラグＰ１先端がコネクタハウジング１の凹溝部７ｂに案内されて水平状態となって挿入される段階ではフェルール２４先端がシャッタ板１１と非接触状態となるため問題ないが、作業当初、すなわち作業人がフェルール２４先端をコネクタハウジング１の開口部Ａ手前で誤って斜め上方向側から挿入してしまった場合は、当該フェルール２４先端がシャッタ板１１に接触する虞れがあるためこのシャッタ板１１に逃げ部３０を設けることによってこのような事故を未然に防止せんとするものである。
【００５２】
Ｐ１、Ｐ２  ＬＣ形光コネクタプラグ
Ａ          一方の嵌合部
Ｂ          他方の嵌合部
１          コネクタハウジング
１ａ        上側壁
１ｂ        左右の側壁
１ｃ        底壁
１ｄ        切欠き部
３ａ、３ｂ  接合端壁部材
４ａ        係合爪
４ｂ        係合部
５          スリーブホルダー
５ａ        一方の円筒
５ｂ        他方の円筒
６          割りスリーブ
６ａ        嵌合凹部
６ｂ        仕切突起
７ａ        ガイド突条
７ｂ        凹溝部
８          ホルダー
９ａ、９ｂ  固定金具
１０ａ      係止突起
１０ｂ      係止孔
１１        シャッタ板
１１ａ      凹部
１１ｂ      窪み部
１１ｃ      突当面
１１ｄ      開口部
１２        キー溝
１５        支軸
１５ａ      突部
１６        軸孔
１７        開口部
１８        板バネ
２１        カップリングスリーブ
２２        フェルール用チューブ
２３        フェルールフレーム
２４        フェルール
２５        スプリング
２６        本体フレーム
２７        ブーツ
２８        解除レバー
２８ａ      係合突起
２９        ラッチレバー
３０        逃げ部
３０ａ      左壁面
３０ｂ      右壁面
３０ｃ      下方側傾斜面
３０ｄ      上方側傾斜面
３０ｅ      底面
【図１】
2015059941.tif 000003
【図２】
2015059941.tif 000004
【図３】
2015059941.tif 000005
【図４】
2015059941.tif 000006
【図５】
2015059941.tif 000007
【図６】
2015059941.tif 000008
【図７】
2015059941.tif 000009
【図８】
2015059941.tif 000010
【図９】
2015059941.tif 000011
【図１０】
2015059941.tif 000012
【図１１】
2015059941.tif 000013
【図１２】
2015059941.tif 000014
【図１３】
2015059941.tif 000015